(57)【要約】【課題】広告媒体などに掲載されたＵＲＬを取得し、電子商取引を容易に行う携帯情報機器を提供する。【解決手段】携帯情報機器は、インターネットに接続可能な携帯情報機器にコード読取アタッチメントが組み込まれている。携帯情報機器は、入力装置１、表示装置２、無線装置４、音声処理装置５、ＣＯＤＥＣ６、データ記憶装置９、処理制御装置１０、２次元コード読取装置１１、個人情報記憶装置１２及び一時記憶装置１３より構成されている。広告媒体に印刷されたデータは２次元コード読取装置に読み込まれ、携帯情報機器で解析・変換される。変換された情報を元に、指定ＵＲＬにアクセスし、個人情報記憶装置１２に記憶された個人情報を用いて電子商取引を行う。【選択図】      図１
2006331433.tif 000002
【特許請求の範囲】
【請求項１】
複数の商品提供者端末と複数の携帯情報機器とが通信ネットワークを介して互いに通信可能なシステムに用いられる前記携帯情報機器であって、
携帯可能な筐体と、
前記筐体の内部に配置され、光学的手段により光学的データパターンを読み取る光学的データ読取装置と、
前記筐体の内部に配置された個人情報記憶装置と、
前記筐体の内部に配置され、前記光学的データ読取装置により読み取られた前記光学的データパターンに含まれる商品掲載ページに関する情報と前記個人情報記憶装置に記録されている個人情報とを編集する処理制御装置と、
前記筐体の内部に配置され、前記処理制御装置が編集したデータを前記通信ネットワークと接続するように外部に発信する無線装置
とを備えることを特徴とする携帯情報機器。
【請求項２】
前記処理制御装置は、
前記光学的データ読取装置によって読み取られたデータが正当なものであるかチェックを行うデータ解読手段と、
前記データ解読手段で解読されたデータを文字データに変換するコード変換手段と、
前記コード変換手段により得られた文字情報と、前記個人情報記憶装置に記録されている個人情報とを前記商品提供者が指定する形式に編集する電子商取引データ編集手段
とを備えることを特徴とする請求項１に記載の携帯情報機器。
【請求項３】
前記個人情報記憶装置は、個人の名前、電話番号、住所、決済カード番号、電子メールアドレスのうち少なくとも一つを記憶することを特徴とする請求項１又は２に記載の携帯情報機器。
【請求項４】
前記光学的データ読み取り装置による情報獲得、前記無線装置による外部への情報発信、前記個人情報の発信許可を含む３つの状態を識別できる入力装置と、
前記無線装置による通信結果を表示する表示装置
とを更に備えることを特徴とする請求項１〜３のいずれか１項に記載の携帯情報機器。
【請求項５】
前記入力装置は、０から９までの数字ボタンを含むプッシュボタンを有することを特徴とする請求項４に記載の携帯情報機器。
【請求項６】
前記個人情報記憶装置、前記処理制御装置及び前記無線装置は、一つのモノリシックＩＣで構成されていることを特徴とする請求項１〜５のいずれか１項に記載の携帯情報機器。
【請求項７】
前記個人情報記憶装置、前記処理制御装置及び前記無線装置は、異なる複数のチップで構成されていることを特徴とする請求項１〜５のいずれか１項に記載の携帯情報機器。
【請求項８】
前記無線装置はマイクロ波ハイブリッドＩＣで構成され、前記個人情報記憶装置及び前記処理制御装置はモノリシックＩＣで構成されていることを特徴とする請求項１〜５のいずれか１項に記載の携帯情報機器。
【請求項９】
前記光学的データ読取装置は、
前記光学的データパターンの結像光を電気信号へ変換するエリアセンサと、
前記光学的データパターンからの反射光を前記エリアセンサのセンサ面上に結合する複数の光学レンズ
とを備えることを特徴とする請求項１〜８のいずれか１項に記載の携帯情報機器。
【請求項１０】
前記光学的データ読取装置は、前記光学的パターンを読み取り、
前記処理制御装置は、前記光学的データパターンを解析し、文字データに変換し、
前記無線装置は、前記通信ネットワークに接続を行い、前記商品提供者ＵＲＬを参照し、
入力装置によって前記商品提供者の提供する商品を購入することが決定された場合、前記処理制御装置は、前記個人情報を取得し、前記商品提供者が指定する形式に編集する
ことを特徴とする請求項１〜９のいずれか１項に記載の携帯情報機器。
【発明の詳細な説明】
【技術分野】
【０００１】
本発明は、電子手帳、携帯電話、携帯用ノートパソコン等の携帯情報機器に関するものである。
【背景技術】
【０００２】
電子商取引において、商品提供者が提供する商品を、広告媒体を通じて、消費者の購入アクションにつなげるためには、広告媒体からＵＲＬを入手し、ＷＥＢ上で、目的の商品を探す方法が、一般的に行われている。
【０００３】
即ち消費者が、取得したい商品を特定するためには、以下のような手順が必要になる：
（イ）ＵＲＬアドレスを視覚的に読み取り、記憶し、或いはメモし、或いは、切り取りを行う；
（ロ）その後（後日）自宅或いは会社のパソコンの前まで移動する；
（ハ）パソコンの電源を入れ、ブラウザを立ち上げ、ネットワークに接続す；
（ニ）アドレスを取り出し、ブラウザにＵＲＬをキーボードから入力する；
（ホ）目的の商品のページを探す；
（ヘ）商品の購入手続きをとる；
（ト）課金の決済をする、
この手順は繁雑であり、必ず商品購入に結びつくものではない。
【０００４】
又、２次元コード及びその読取装置並びに関連するソフトウエアは、既に規格化され、商品化されている。又、ＧＰＳ、ＵＲＬ及び課金決済等に関する技術手段も既に多様に実用されている。
【発明の開示】
【発明が解決しようとする課題】
【０００５】
しかし、モバイル型電子商取引において、新聞、ポスター、雑誌、折り込み広告などの広告媒体と電子商圏をシームレスにリンクするシステムは提案されていない。
【０００６】
又、電車の中吊り広告等では、視力の関係で細かなＵＲＬ情報を記録出来ない場合もある。又、ＵＲＬ情報を間違って視覚的に読み込む場合や、メモする際に間違える場合もある。更に、街角を通行中に注目すべき広告媒体を見つけても、時間の関係で、それらのＵＲＬ情報や広告情報を入力出来ない場合がある。更に、折角メモした情報や、切り取りを行った情報を紛失する場合もある。又、自宅についてから、パソコンのキーボードから入力する際に間違える可能性もある。特に、今後我が国は、高齢者社会になるので、視力等の低下した老人等には、ＵＲＬ情報の視覚による読み取りや、キーボードからの入力は負担になる。
【０００７】
例えば、広告媒体からＵＲＬを参照しても、消費者が求める商品を特定することが容易でない。又、消費者が商品購入を決定しても、指定された決済システムを用いて商品購入を行わなければならない。従って、商品提供者側においても、提供する商品の取引成約への効率は良いとはいえない。例えば、商品購入までの手順が繁雑であるため、商品購入に結びつきにくい。又、消費者がどの媒体を参照して商品を購入したかを判断することが出来ないので、効率の良い宣伝方法を知ることが出来ない。
【０００８】
ＵＲＬ情報以外でも、電子メールのアドレスや、携帯電話の番号等の情報を視覚的、聴覚的に認知し、それをキーボードからの入力することは、面倒であるばかりか、間違いの原因にもなる。  
上記問題を鑑み、本発明は、広告媒体に記載されたＵＲＬ等の情報を、視覚とキーボード等を用いて入力することを不要とし、ワンタッチで瞬時に、且つ正確に入力出来る携帯情報機器を提供することを目的とする。
【０００９】
本発明の他の目的は、消費者にとっても商品提供者にとっても効率良く、必要な情報を入力し、伝達出来る携帯情報機器を提供することである。
【００１０】
より、具体的には、消費者が求める商品や、その購入先を特定しやすい携帯情報機器を提供することである。
【００１１】
本発明の他の目的は、消費者が商品購入決定後の決済システムを容易にする携帯情報機器を提供することである。
【００１２】
本発明の更に他の目的は、商品購入までの手順を簡易にし、商品購入に結びつきやすい携帯情報機器を提供することである。
【００１３】
本発明の更に他の目的は、消費者がどの媒体を参照して商品を購入したかを判断し、効率の良い宣伝方法を提供出来る携帯情報機器を提供することである。
【課題を解決するための手段】
【００１４】
上記目的を達成するため、本発明は、通信ネットワーク接続手段と、入力装置と、表示装置と、光学的データ読取装置と、処理制御装置と、個人情報記憶装置とからなる携帯情報機器であることを特徴とする。ここで、「携帯情報機器」とは、携帯電話、ＰＨＳ、ＰＤＡ、ノートパソコン、電子手帳等である。
【００１５】
本発明の「通信ネットワーク接続手段」とは、例えば、携帯電話等では、無線装置（無線回路）や送信アンテナ、受信アンテナ等を意味する。「無線装置」は、例えば、低雑音増幅器、ミキサ、中間周波（ＩＦ）増幅器と、復調器、フィルタ、Ａ／Ｄ変換器、プロセッサ、変調器、変調器、ドライバ増幅器、位相器、送信増幅器等から構成される。「通信ネットワーク接続手段」は、マイクロ波やミリ波等の電波に限られず、赤外線や超音波を用いても構わない。又、ケーブル方式の有線ネットワーク接続手段でも構わない。従って、モデム（ＭＯＤＥＭ）、宅内回線終端装置（ＤＳＵ）、網制御装置（ＮＣＵ）、通信制御装置（ＣＣＵ）、通信制御処理装置（ＣＣＰ）等のデータ回線終端装置が、本発明の「通信ネットワーク接続手段」に該当する。本発明の「通信ネットワーク接続手段」により、インターネット等の通信ネットワークに、携帯情報機器を接続することが出来る。
【００１６】
本発明の「光学的データ読取装置」は、インターネットのアドレスが書き込まれているデータ等の情報をを光学的に読み取るＯＣＲやバーコードリーダである。「個人情報記憶装置」は、個人の名前・電話番号・住所・決済カード番号のうち少なくとも一つを記憶する。「処理制御装置」は、光学的データ読取装置により読み取られたデータを解読するデータ解読手段と、データ解読手段で解読されたデータを文字データに変換するコード変換手段と、コード変換手段により得られた文字情報と、個人情報記憶装置に記録されている個人情報を所定の形式に編集する電子商取引データ編集手段を少なくとも備えることが好ましい。
【００１７】
又、光学的データ読取装置が読み取るデータは、例えば、図８に示すような２次元コードが好適である。図８（ａ）は、ＱＲコードと呼ばれるマトリクス型の２次元コードで、図８（ｂ）は、ＰＤＦ４１７と呼ばれるスタック型の２次元コードである。１次元バーコードが約２０文字の情報量を持つのに対し、２次元コードは、約２０００文字の情報量を持つ。本発明においては、この２次元コードに、商品提供者が提供する商品が掲載されているＵＲＬなどの情報を保持している。このデータが記される方法は以下のようなものが挙げられる。
【００１８】
（イ）雑誌、書籍、新聞、カタログ、パンフレット、折り込み広告などの印刷可能な広告媒体に埋め込んだプリントメディアモデル。
【００１９】
（ロ）テレビの画面、液晶パネル、あらゆる電子機器のディスプレイ（ＣＲＴなど）などにコードを表示するディスプレイモデル。
【００２０】
（ハ）街頭の看板、ポスター、電車の中吊り広告など、壁面、路面、扉など屋内外で外部情報を可能にしたストリートモデル。
【００２１】
（ニ）米・海苔の袋、シャンプーの入れ物、缶詰など商品パッケージに印刷して埋め込むパッケージモデル。
【００２２】
（ホ）あらゆる製品のどの部分からでも、製品全体に透かし、例えば暗号などで使われるウォーターマーク技術、情報圧縮で使われるフラクタル技術などを使い埋め込むウォーターマークモデル。
【００２３】
本発明の光学的データ読取装置で、この２次元コードを読み取り、処理制御装置のデータ解読手段により、読み取られたデータを解読する。解読されたデータは、電子商取引制御装置の２次元コード変換手段により商品提供者のＵＲＬなどの文字データに変換される。ここで得られた商品提供者のＵＲＬ情報を元に、携帯情報機器より指定ＵＲＬを参照する。使用者がその商品を確認した後、商品を購入するかどうか決定を行う。商品を購入しない場合は、インターネットの接続を切断する。商品購入する場合は、個人情報記憶装置に記憶されている情報を元に、アタッチメント制御装置の電子商取引データ編集手段により必要な形にデータを編集し、商品提供者に送信され、電子商取引等が簡単に行われる。
【００２４】
本発明の携帯情報機器において、通信ネットワーク接続手段、入力装置、表示装置、処理制御装置の一部を、主機能部に収納し、光学的データ読取装置と処理制御装置の残る一部をコード読み取りアッタッチメントに収納し、このコード読み取りアッタッチメントは、主機能部に対して着脱可能に構成することが好ましい。こうすれば、主機能部単独では、標準的な携帯電話、ＰＨＳ、ＰＤＡ、ノートパソコン、電子手帳の機能を享受することが出来、インターネットに接続可能である。一方、コード読み取りアッタッチメントに収納された処理制御装置の残る一部は、光学的データ読取装置により読み取られたデータを解読するデータ解読手段と、  データ解読手段で解読されたデータを文字データに変換するコード変換手段と、コード変換手段により得られた文字情報と、個人情報記憶装置に記録されている個人情報を所定の形式に編集する電子商取引データ編集手段とを含むようにしておき、使用者の好み、嗜好に応じて、コード読み取りアッタッチメントを着脱して使用出来る。
【発明の効果】
【００２５】
本発明によれば、広告媒体に記載されたＵＲＬ等の情報を、視覚とキーボード等を用いて入力することが不要で、ワンタッチで瞬時に、且つ正確に入力出来る携帯情報機器を提供することが出来る。
【００２６】
本発明によれば、消費者にとっても商品提供者にとっても効率良く、必要な情報を入力し、伝達出来る携帯情報機器を提供することが出来る。
【００２７】
本発明によれば、広告媒体からのＵＲＬの参照を容易にし、消費者が求める商品を特定しやすい携帯情報機器を提供することが出来る。
【００２８】
又、本発明によれば、消費者が商品購入決定後の決済システムを容易にする携帯情報機器を提供することが出来る。
【００２９】
又、本発明によれば、商品購入までの手順を簡易にし、商品購入に結びつきやすい携帯情報機器を提供することが出来る。
【００３０】
又、本発明によれば、消費者がどの媒体を参照して商品を購入したかを判断し、効率の良い宣伝方法を提供出来る携帯情報機器を提供することが出来る。
【発明を実施するための最良の形態】
【００３１】
次に、図面を参照して、本発明の第１乃至第３の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。従って、具体的な厚みや寸法は以下の説明を参酌して判断すべきものである。又図面相互間においても互いの寸法の関係や比率が異なる部分が含まれていることは勿論である。
【００３２】
（第１の実施の形態）
図１は、本発明の第１の実施の形態に係る携帯情報機器の一例としての２次元コード読取機能内蔵携帯電話のブロック図である。本発明の第１の実施の形態に係る携帯情報機器は、入力装置１、表示装置２、無線装置４、音声処理装置５、ＣＯＤＥＣ（コーデック）６、データ記憶装置９、処理制御装置１０、光学的データ読取装置（２次元コード読取装置）１１、個人情報記憶装置１２及び一時記憶装置１３等より構成されている。無線装置４にはアンテナ３が接続されている。無線装置４及びアンテナ３により、本発明の「通信ネットワーク接続手段」を構成している。ＣＯＤＥＣ６には、送話装置７と受話装置８が接続されている。
【００３３】
入力装置１は、０から９までの数字と、“＊”、“＃”、“Ｆ”、“△”、“▽”、“決定”、“取消"などのプッシュボタンから構成されたキーボードである。従って、第１の実施の形態に係る携帯情報機器の使用者によって、入力装置１から入力操作が行われると、入力されたキーに対応するキー情報を処理制御装置１０に伝えられるようになっている。入力装置１はプッシュボタンに限らず、スクロールボタンなどにより構成されていても構わない。表示装置２は、液晶表示装置（ＬＣＤ）等、標準的な携帯電話における一般的な情報、例えば入力された電話番号、選択された機能項目や短縮ダイヤル等、及び、現在の携帯情報機器の状態や、選択メニュー、通信結果などを表示するものである。
【００３４】
アンテナ３は、電波を受信及び送信するもので、図１では、受信用アンテナと送信アンテナを兼ねたものとして示している。無線装置４は、アンテナ３を介して受信した受信データを復調して処理制御装置１０に出力し、処理制御装置１０から出力された送信データを変調してアンテナ３へ出力するものである。無線装置４は、周知の無線装置の構成で構わない。図示を省略するが、例えば、アンテナ（受信アンテナ）３に接続された低雑音増幅器と、この低雑音増幅器に接続されたミキサと、ミキサに接続された中間周波（ＩＦ）増幅器と、中間周波増幅器に接続された復調器等により無線装置４を構成出来る。復調器からは、ベースバンド信号が出力される。ミキサには、図示を省略した発信器からの信号が、低雑音増幅器からの信号と共に入力される。更に、無線装置４は、所定の入力端子を介してベースバンド信号が入力される変調器と、変調器に接続されたミキサと、ミキサに接続された電力増幅器を有している。ミキサには、図示を省略した発信器からの信号が、変調器からの信号と共に入力される。そして、電力増幅器はアンテナ（送信アンテナ）３に接続されるようになる。  或いは、無線装置４は、アンテナ（受信アンテナ）に接続された低雑音増幅器と、この低雑音増幅器に接続されたフィルタと、フィルタに接続されたミキサと、ミキサに接続された中間周波（ＩＦ）増幅器と、中間周波増幅器に接続されたＡ／Ｄ変換器と、Ａ／Ｄ変換器に接続されたプロセッサと、プロセッサに接続された変調器と、変調器に接続されたドライバ増幅器と、ドライバ増幅器に接続された位相器と、位相器に接続された送信増幅器とから構成しても良い。そして、送信増幅器は、アンテナ（送信アンテナ）３に接続されるようになる。 
送話装置７は、マイクで、使用者の音声を入力するものである。受話装置８は、スピーカーで、通話の相手の音声を出力するものである。ＣＯＤＥＣ６は、音声のアナログ信号をデジタル信号に変換し、デジタル信号をアナログ信号に変換するものである。音声処理装置５は、ＤＳＰ（デジタル・シグナル・プロセッサ：Digital Signal Processor）であり、デジタル音声信号を音声符号化／複合化するものである。データ記憶装置９は、ＲＯＭ（ロム：Read Only Memory）及びＲＡＭ（ラム：Random Access Memory）が組み込まれている。ＲＯＭは、処理制御装置１０で実行される受信装置としての全体的な制御を行うプログラム（認識コード）を格納しているメモリであり、ＲＡＭは、処理制御装置１０におけるプログラム実行処理中に利用されるプログラムデータ等を格納したり、作業領域として利用されるメモリである。
【００３５】
処理制御装置１０は、本発明の第１の実施の形態に係る携帯情報機器全体を制御する装置で、電話機能制御手段１０ａ、データ解読手段（２次元コード解読手段）１０、コード変換手段（２次元コード変換手段）１０ｂ及び電子商取引データ編集手段１０ｄにより構成されている。電話機能制御手段１０ａは、従来の標準的な携帯電話の電話機能を制御する手段である。入力装置１からの入力及び呼出の受信に従って、発着制御や通話制御と、各種設定処理等を行う。
【００３６】
２次元コード解読手段１０ｂは、２次元コード読取装置１１で読み込まれたデータを取得し、２次元コードが正当であるかどうかをチェックを行う。２次元コード変換手段１０ｃは、２次元コード解読手段１０ｂで読み込まれた２次元データを文字データに変換する。２次元コード解読手段１０ｂ及び２次元コード変換手段１０ｃを経ることによって、２次元コードは、ただの画像データからコンピュータ読み取り可能なデータに変換することが出来る。電子商取引データ編集手段１０ｄは、個人情報記憶装置１２に記憶された個人情報と、２次元コード変換手段１０ｃより得られた商品情報を編集統合し、外部に発信する手段である。２次元コード読取装置１１は、広告媒体に書かれた商品掲載ページ、商品情報などの商品に関する情報が埋め込まれた２次元コードを読み取り、本発明の第１の実施の形態に係る携帯情報機器に取り込むものである。個人情報記憶装置１２は、所有者の個人情報、例えば氏名、住所、電子メールアドレス、クレジットカード番号などを記録するものである。一時記憶装置１３は、２次元コード読取装置１１から読み取られたコードや、２次元コード解読手段１０ｂ及び２次元コード変換手段１０ｃで得られるコードを一時保存するための記憶装置である。図１には特に表示していないが、これらの各装置が正常に機能するための電源が供給されていることは勿論である。
【００３７】
図２は、図１に示した本発明の第１の実施の形態に係る携帯情報機器の動作の流れを示すフローチャートである。
【００３８】
（イ）まず、ステップＳ１０１において、光学的データ読取装置（２次元コード読取装置）１１により広告媒体等の印刷物や商品の表面に印刷されている２次元コードの読取を行い、処理制御装置１０を介して、一時記憶装置１３に記憶する。
【００３９】
（ロ）次に、ステップＳ１０２において、データ解読手段（２次元コード解読手段）１０ｂにより、一時記憶装置１３に記憶された２次元コードを解析する。更に、コード変換手段（２次元コード変換手段）１０ｄにより、文字データに変換する。変換された文字データを再び一時記憶装置１３に記憶する。ここで得られる文字データは、商品提供者のＵＲＬである。
【００４０】
（ハ）ステップＳ１０３において、電話機能制御手段１０ａ、無線装置４、アンテナ３等を使用してインターネットに接続を行い、ステップＳ１０４において、商品提供者ＵＲＬを参照する。
【００４１】
（ニ）ステップＳ１０５において、商品購入するか否か、コード読取アタッチメントの入力装置１を用いて使用者が決定を行う。商品購入をしない場合は、ステップＳ１０８において、インターネットの接続を切断する。商品購入を行う場合は、ステップＳ１０６に進む。
【００４２】
（ホ）商品購入を行う場合、ステップＳ１０６において、電子商取引データ編集手段１０ｄは、個人情報記憶装置１２に記憶されている個人情報を取得し、商品提供者が指定する形式に編集を行う。ステップＳ１０７において、この商品を購入するための決済情報を商品提供者に送信する。送信終了後、ステップＳ１０８において、インターネットの接続を切断する。
【００４３】
図３は、図１に示した第１の実施の形態に係る携帯情報機器の機械的な構成を具体的に示す断面図である。図３に示すように、第１の実施の形態に係る携帯情報機器１３０Ａは、受話器部１５４と、液晶表示部１５３と、入力操作部１５１と、送話器部１５５と、インターフェース端子部１５６と、２次元コードリーダ部１３３と、ＩＣチップ１３８Ｂと、アンテナ（図示省略）と、バッテリ１３１とを有する。受話器部１５４は、通話の相手の音声を出力するスピーカーであり、図１における受話装置８に相当する。液晶表示部１５３は、第１の実施の形態に係る携帯情報機器において、一般的な情報を表示する液晶表示装置（ＬＣＤ）であり、図１における表示装置２に相当する。入力操作部１５１は、０から９までの数字ボタン１５８、一連の機能ボタンなどのプッシュボタンを有し、図１における入力装置１に相当する。数字ボタン１５８の上には、誤ってボタンが押されないためのフリッパ１５９と呼ばれる開閉自在のふたが配置されている。図３の断面にはプッシュボタンのみが示されているが、携帯情報機器１３０Ａはその側面及び表面等にスクロールボタンなどを有していても構わない。送話器部１５５は、使用者の音声を入力するマイクであり、図１における送話装置７に相当する。使用者の口元に送話器部１５５を近づけ、同時に使用者の耳元に受話器部１５４を近づけることで通話が可能となる。インターフェース端子部１５６は、外部とのデータの送受信或いはパッテリ１３１の充放電などを行うための端子である。２次元コードリーダ部１３３は、広告媒体等に書かれた商品掲載ページ、商品情報などの商品に関する情報が埋め込まれた２次元コードを光学的な手法で読み取り、電気信号に変換する。つまり、２次元コードリーダ部１３３は、図１における２次元コード読取装置１１に相当する。ＩＣチップ１３８Ｂは、図１における無線装置４、音声処理装置５、ＣＯＤＥＣ６、データ記憶装置９、処理制御装置１０、個人情報記憶装置１２、一時記憶装置１３などの諸機能を実現する電子回路をモノリシックに集積したしたシステムＬＳＩである。ＩＣチップ１３８Ｂの代わりに複数のチップに、無線装置４、音声処理装置５、ＣＯＤＥＣ６、データ記憶装置９、処理制御装置１０、個人情報記憶装置１２、一時記憶装置１３などの諸機能を分散させたマルチチップモジュールやハイブリッドＩＣでも構わない。又、無線装置４のみを、マイクロ波モノリシックＩＣ（ＭＭＩＣ）やマイクロストリップ線路等の高周波伝送線路を用いたマイクロ波ハイブリッドＩＣ（ＭＨＩＣ）で構成し、無線装置４以外をモノリシックＩＣとしたハイブリッド構成でも構わない。バッテリ１３１は、携帯情報機器１３０Ａが正常に機能するための電力を供給する。
【００４４】
２次元コードリーダ部１３３は、円筒型の筐体１４１と、複数の光学レンズ１４６と、エリアセンサ（ＣＣＤ）１３５と、照明用ＬＥＤ１３６とを有する。照明用ＬＥＤ１３６の代わりに半導体レーザを用いても良い。筐体１４１の一端は、嵌合部１４４において携帯情報機器１３０Ａの筐体と一体化されている。筐体１４１の他端には、広告媒体などに押し当てられる当接部１４３が形成されている。当接部１４３に押し当てられた広告媒体に対して照明用ＬＥＤ１３６から放出された光が、拡散レンズ１４２及び反射板１３７により、２次元コードパターン全体に照射される。２次元コードパターンからの反射光は複数の光学レンズによりエリアセンサ１３５のセンサ面上に結像される。エリアセンサ１３５は２次元コードパターンの結像光を電気信号へ変換する。２次元コードパターンの電気信号は、ＩＣチップ１３８に入力され、所定の情報処理が施される。なお、複数の光学レンズ１４６及びエリアセンサ１３５は支持部材１３９により固定されているため、光学軸がぶれることがなく、当接部１４３を広告媒体に押し当てるだけでエリアセンサ１３５に２次元コードパターンを結像させることが出来る。
【００４５】
図４は、本発明の第１の実施の形態に係る携帯情報機器を複数個使用して電子商取引を行う場合のシステム構成図である。第１の商品提供者端末２１ａ、第２の商品提供者端末２１ｂ、・・・・・が接続されたインターネット２６と、第１の携帯情報機器２５ａ、第２の携帯情報機器２５ｂ、・・・・・が接続されたデジタル通信網２７により構成されている。第１の携帯情報機器２５ａから発信された情報は、無線中継機２４ａ、２４ｂ、２４ｃ、２４ｄ、・・・・・、及び移動通信加入者交換機２３ａ、２３ｂ、・・・・・を介して中継処理装置２２に送信される。中継処理装置２２は、インターネット２６とデジタル通信網２７のデータの仲介を行う。
【００４６】
（第２の実施の形態）
図５は、本発明の第２の実施の形態に係る携帯情報機器のブロック図である。本発明の第２の実施の形態に係る携帯情報機器は、インターネットに接続可能な主機能部１９と、主機能部１９に取り外し可能なアタッチメント形式であるコード読取アタッチメント１７より構成される。
【００４７】
主機能部１９は、入力装置１、表示装置２、無線装置４、音声処理装置５、ＣＯＤＥＣ６、データ記憶装置９、主機能制御装置１０Ｍ及び主機能側データインターフェース１４を備えている。無線装置４にはアンテナ３が接続されている。ＣＯＤＥＣ６には、送話装置７と受話装置８が接続されている。コード読取アタッチメント１７は、２次元コード読取装置１１、個人情報記憶装置１２及び一時記憶装置１３、アタッチメント制御装置１６、アタッチメント側データインターフェース１５及びデータ記憶装置１８により構成されている。
【００４８】
主機能部１９の各装置について説明する。入力装置１は、０から９までの数字と、“＊”、“＃”、“Ｆ”、“取消"などのプッシュボタンから構成されており、使用者によって入力操作が行われると、入力されたキーに対応するキー情報を主機能制御装置１０Ｍに伝えるようになっている。入力装置１はプッシュボタンに限らず、スクロールボタンなどにより構成されていても構わない。表示装置２は、液晶表示装置（ＬＥＤ）等の第２の実施の形態に係る携帯情報機における一般的な情報、例えば入力された電話番号、選択された機能項目や短縮ダイヤル等、及び、現在の携帯情報機器の状態や、選択メニュー、通信結果などを表示するものである。アンテナ３は、電波を受信及び送信するものである。無線装置４は、アンテナ３を介して受信した受信データを復調して主機能制御装置１０Ｍに出力し、主機能制御装置１０Ｍから出力された送信データを変調してアンテナ３へ出力するものである。送話装置７は、マイクで、使用者の音声を入力するものである。受話装置８は、スピーカーで、通話の相手の音声を出力するものである。ＣＯＤＥＣ６は、音声のアナログ信号をデジタル信号に変換し、デジタル信号をアナログ信号に変換するものである。音声処理装置５は、ＤＳＰであり、デジタル音声信号を音声符号化／複合化するものである。データ記憶装置９は、ＲＯＭ及びＲＡＭが組み込まれている。ＲＯＭは、主機能制御装置１０Ｍで実行される受信装置としての全体的な制御を行うプログラム（認識コード）を格納しているメモリであり、ＲＡＭは、主機能制御装置１０Ｍにおけるプログラム実行処理中に利用されるプログラムデータ等を格納したり、作業領域として利用されるメモリである。主機能制御装置１０Ｍは、携帯電話全体を制御する装置で、電話機能制御手段１０ａにより構成されている。電話機能制御手段１０ａは、標準的な携帯電話の機能を制御する手段である。入力装置１からの入力及び呼出の受信に従って、発着制御や通話制御と、各種設定処理等を行う。主機能側データインターフェース１４は、主機能部１９とコード読取アタッチメント１７間でのデータのインターフェースとなる。
【００４９】
コード読取アタッチメント１７の各装置について説明する。アタッチメント制御装置１６は、コード読取アタッチメント１７を制御するものであって、２次元コード解読手段１６ａ、２次元コード変換手段１６ｂ及び電子商取引データ編集手段１６ｃを備えている。２次元コード解読手段１６ａは、２次元コード読取装置１１で読み込まれたデータを取得し、２次元コードが正当であるかどうかをチェックを行う。２次元コード変換手段１６ｂは、２次元コード解読手段１６ａで読み込まれた２次元データを文字データに変換する。２次元コード解読手段１６ａ及び２次元コード変換手段１６ｂを経ることによって、２次元コードは、ただの画像データからコンピュータ読み取り可能なデータに変換することが出来る。電子商取引データ編集手段１６ｃは、個人情報記憶装置１２に記憶された個人情報と、２次元コード変換手段１６ｂより得られた商品情報を編集統合し、外部に発信する手段である。２次元コード読取装置１１は、広告媒体に書かれた商品掲載ページ、商品情報などの商品に関する情報が埋め込まれた２次元コードを読み取り、アタッチメント制御装置１６に取り込むものである。個人情報記憶装置１２は、所有者の個人情報、例えば氏名、住所、電子メールアドレス、クレジットカード番号などを記録するものである。一時記憶装置１３は、２次元コード読取装置１１から読み取られたコードや、２次元コード解読手段１６ａ及び２次元コード変換手段１６ｂで得られるコードを一時保存するための記憶装置である。
【００５０】
図面には特に表示していないが、これらの主機能部１９が正常に機能するための電源が供給されていることは勿論である。コード読取アタッチメント１７に必要な電源は、主機能部１９から取得されても良いし、コード読取アタッチメント１７の内部に必要な電源装置を備えていても良い。
【００５１】
携帯電話側データインターフェース１４とコード読取アタッチメントデータインターフェース１５は、凹凸形式により直接接続されても良いし、これらのインターフェースに物理的に適合したコネクタが接続されたケーブルによって接続されても良い。
【００５２】
図６は、図５に示した本発明の第２の実施の形態に係る携帯情報機器２３０の構成を示す断面図である。第２の実施の形態に係る携帯情報機器２３０は、主機能部１３０Ｂ及びコード読取アタッチメント１３２とから構成されている。
【００５３】
図６に示すように、主機能部１３０Ｂは、受話器部１５４、液晶表示部１５３、入力操作部１５１、送話器部１５５、インターフェース端子部１５６、ＩＣチップ１３８Ｃ、アンテナ１５７、バッテリ１３１を有する。受話器部１５４、液晶表示部１５３、入力操作部１５１、送話器部１５５、インターフェース端子部１５６、アンテナ１５７、バッテリ１３１の機能及び動作は、それぞれ図３に示した携帯情報機器１３０Ａと同じである。ＩＣチップ１３８Ｃは、図５に示した無線装置４、音声処理装置５、ＣＯＤＥＣ６、データ記憶装置９、主機能制御装置１０Ｍなどの機能を実現する電子回路をモノリシックに集積したシステムＬＳＩである。ＩＣチップ１３８Ｃは、図３に示したＩＣチップ１３８Ｂに比して、個人情報記憶装置１２、一時記憶装置１３以外の機能を具備していることになる。
【００５４】
又、コード読取アタッチメント１３２は、広告媒体などに埋めまれた２次元コードを光学的な手法で読み取る機能を有し、筐体１４１と、複数の光学レンズ１４６と、エリアセンサ（ＣＣＤ）１３５と、照明用ＬＥＤ１３６と、ＩＣチップ１３８Ａと、コネクタ部１４０とを具備する。図３に示した２次元コードリーダ部１３３に比して、筐体１４１の形状が異なり、ＩＣチップ１３８Ａ及びコネクタ部１４０が新規な構成要素である。ＩＣチップ１３８Ａは、図５に示したアタッチメント制御装置１６、個人情報記憶装置１２、一時記憶装置１３などの機能を実現する電子回路をモノリシックに集積したしたシステムＬＳＩである。コネクタ部１４０は、凹凸形式によりインターフェース端子部１５６に直接接続され、主機能部１３０Ｂとコード読取アタッチメント１３２との間でデータの送受信を行う。筐体１４１の開口部には、広告媒体などに押し当てて２次元コードパターンを読み取る当接部１４３が形成されている。当接部１４３に押し当てられた広告媒体に対して照明用ＬＥＤ１３６から放出された光は、拡散レンズ１４２及び反射板１３７により、２次元コードパターン全体に照射される。２次元コードパターンからの反射光は複数の光学レンズ１４６によりエリアセンサ１３５のセンサ面上に結像される。エリアセンサ１３５は２次元コードパターンの結像光を電気信号へ変換する。２次元コードパターンの電気信号は、ＩＣチップ１３８Ａに入力され、２次元コードの解読などの所定の情報処理が施される。ＩＣチップ１３８Ａ内の個人情報、商品情報などを外部に発信する場合などにおいて、これらのデータをコネクタ部１４０、インターフェース端子部１５６を介して主機能部１３０Ｂ側に送信する。なお、複数のレンズ１４６及びエリアセンサ１３５は支持部材１３９により固定されているため、光学軸がぶれることがなく、当接部１４３に広告媒体を押し当てるだけでエリアセンサ１３５に２次元コードパターンを結像させることが出来る。又、コード読取アタッチメント１３２は、主機能部１３０Ｂに対して自由に着脱することが出来、必要に応じて、通常の主機能部１３０Ｂに対して電子商取引の機能を付加することが出来る。又、図６においてはコード読取アタッチメント１３２に必要な電力は、インターフェース端子部１５６及びコネクタ部１４０を介して主機能部１３０Ｂのバッテリ１３１から供給される。
【００５５】
（第３の実施の形態）
図７は、本発明の第３の実施の形態に係る携帯情報機器１３０Ｃの機械的な構成を示す断面図である。本発明第３の実施の形態に係る携帯情報機器のブロック図は、第１の実施の形態に係る携帯情報機器と同様である。図７に示すように、第３の実施の形態に係る携帯情報機器１３０Ｃは、受話器部１５４、液晶表示部１５３、入力操作部１５１、送話器部１５５、ＩＣチップ１３８Ｂ、アンテナ１５７、バッテリ１３１、２次元コードリーダ部１３４を有する。受話器部１５４、液晶表示部１５３、入力操作部１５１、送話器部１５５、ＩＣチップ１３８Ｂ、バッテリ１３１の機能及び動作は、それぞれ図３に示した携帯情報機器１３０Ａと同じである。第３の実施の形態に係る携帯情報機器１３０Ｃは、第１の実施の形態に係る携帯情報機器１３０Ａに比して、２次元コードリーダ部１３４が、伸縮自在のアンテナ１５７の先端に配置されている点が異なる。図７には示さないが、２次元コードリーダ部１３４は、図３に示した２次元コードリーダ部１３３と同様に、広告媒体などに埋めまれた２次元コードを光学的な手法で読み取る機能を有し、筐体と、複数の光学レンズと、エリアセンサ（ＣＣＤ）と、照明用ＬＥＤとを具備する。エリアセンサ（ＣＣＤ）により変換された２次元コードパターンの電気信号は、アンテナ１５７の内部に配置された配線を介してＩＣチップ１３８Ｂに入力され、所定の情報処理が施される。街頭の看板、ポスター、電車の中吊り広告など、壁面、路面、扉など屋内外の使用者の手の届かないところに掲示された２次元コードに対して、アンテナ１５７を引き伸ばして、２次元コードリーダ部１３４の当接部を２次元コードに押し当てることが出来る。
【００５６】
又、第３の実施の形態においても、第２の実施の形態と同様に、主機能部と、主機能部に対し取り外し可能なコード読取アタッチメントより構成しても良い。又、アンテナ部分を着脱可能にすることも出来る。
【００５７】
（その他の実施の形態）
上記のように、本発明は第１乃至第３の実施の形態によって記載したが、この開示の一部をなす論述及び図面はこの発明を限定するものであると理解すべきではない。この開示から当業者には様々な代替実施の形態、実施例及び運用技術が明らかとなろう。
【００５８】
これらの実施の形態においては、商品提供者が２次元コードを用いて、商品掲載ＵＲＬ、商品情報などの情報を表す、と説明したが、２次元コードに限るものではない。１次元バーコード、１．５次元バーコード、３次元コード、ホログラム、電子透かし、或いは、暗号等でも良いし、又、文字データそのものでも構わない。
【００５９】
又、本発明は第１乃至第３の実施の形態においては、電子商取引が行われる、と書いたが、実際に電子商取引が行われなければならないことはなく、抽選やクイズの応募、広告媒体のマーケティング等に使用しても良い。
【００６０】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６１】
【図１】第１の実施の形態における携帯情報機器のブロック図である。
【図２】第１の実施の形態における携帯情報機器の動作のフローチャートである。
【図３】第１の実施の形態における携帯情報機器の断面図である。
【図４】第１の実施の形態における携帯情報機器を使用して電子商取引を行う場合のシステム構成図である。
【図５】第２の実施の形態における携帯情報機器のブロック図である。
【図６】第２の実施の形態における携帯情報機器の断面図である。
【図７】第３の実施の形態における携帯情報機器の断面図である。
【図８】２次元コードの例である。
【符号の説明】
【００６２】
１  入力装置
２  表示装置
３  アンテナ
４  無線装置
５  音声処理装置
６  ＣＯＤＥＣ
７  送話装置
８  受話装置
９、１８  データ記憶装置
１０  処理制御装置
１０ａ  電話機能制御手段
１０ｂ、１６ａ  ２次元コード解読手段
１０ｃ、１６ｂ  ２次元コード変換手段
１０ｄ、１６ｃ  電子商取引データ編集手段
１０Ｍ  主機能制御装置
１１  ２次元コード読取装置
１２  個人情報記憶装置
１３  一時記憶装置
１４  主機能側データインターフェース
１５  アタッチメント側データインターフェース
１６  アタッチメント制御装置
１７  コード読取アタッチメント
１９  携帯情報機器
２１ａ、２１ｂ  商品提供者端末
２２  中継処理装置
２３ａ、２３ｂ  移動通信加入者交換機
２４ａ、２４ｂ、２４ｃ、２４ｄ  無線中継機
２５ａ、２５ｂ  コード読取アタッチメント
２６  インターネット
２７  デジタル通信網
１３０Ａ、１３０Ｂ、１３０Ｃ  携帯情報機器
１３１  バッテリ
１３２  コード読取アタッチメント
１３３、１３４  ２次元コードリーダ部
１３５  エリアセンサ（ＣＣＤ）
１３６  照明用ＬＥＤ
１３７  反射板
１３８、１３８Ａ、１３８Ｂ、１３８Ｃ  ＩＣチップ
１３９  支持部材
１４０  コネクタ部
１４１  筐体
１４２  拡散レンズ
１４３  当接部
１４４  嵌合部
１４６  光学レンズ
１５１  入力操作部
１５３  液晶表示部
１５４  受話器部
１５５  送話器部
１５６  インターフェース端子部
１５７  アンテナ
１５８  数字ボタン
１５９  フリッパ
【図１】
2006331433.tif 000003
【図２】
2006331433.tif 000004
【図３】
2006331433.tif 000005
【図４】
2006331433.tif 000006
【図５】
2006331433.tif 000007
【図６】
2006331433.tif 000008
【図７】
2006331433.tif 000009
【図８】
2006331433.tif 000010